(57)【要約】
【課題】タバコを取り出す時に他のタバコに触れなく、且つ、タバコを１回１本ずつ取り出すことができるタバコ入れを提供する。
【解決手段】上下両面を有し、且つ、棒形のタバコ１００をいつもその一端（１０１）が上面側にあり、他端が下面側にあるように収容することができる形状に形成されたタバコ入れにおいて、前記上下両面の少なくとも一面に蓋３０付き開口２３が構成されており、該蓋３０付き開口２３における開口２３はその形状中心を通過する各方向の幅が前記タバコ１００の横断面より大で前記タバコ１００を１本だけ通過させることができる断面を有する構成とする。
【選択図】図２
0003101217.tif 000002
【実用新案登録請求の範囲】
【請求項１】
上下両面を有し、且つ、棒形のタバコをいつもその一端が上面側にあり他端が下面側にあるように収容することができる形状に形成されたタバコ入れにおいて、
前記上下両面の少なくとも一面に蓋付き開口が形成されており、該蓋付き開口における開口は、その形状中心を通過する各方向の幅が前記タバコの横断面より大で、前記タバコを１本だけ通過させることができる断面を有することを特徴とするタバコ入れ。
【請求項２】
上側が開口している本体と、上側から前記本体の開口を開閉可能に閉鎖している蓋体とからなり、前記蓋体に上面を有するとともに前記本体に下面を有し、且つ、棒形のタバコをいつもその一端が上面側にあり他端が下面側にあるように収容することができる形状に形成されたタバコ入れにおいて、
前記上面に蓋付き開口が形成されており、該蓋付き開口における開口は、その形状中心を通過する各方向の幅が前記タバコの横断面より大で、前記タバコを１本だけ通過させることができる断面を有することを特徴とするタバコ入れ。
【請求項３】
上側が開口している本体と、該本体の上縁一部に連設していて回動により該本体の開口を開けることができるように該本体の開口を閉鎖している蓋体とからなり、前記蓋体に上面を有するとともに前記本体に下面を有し、且つ、棒形のタバコをいつもその一端が上面側にあり他端が下面側にあるように収容することができる形状に形成されたタバコ入れにおいて、
前記上面に蓋付き開口が形成されており、該蓋付き開口における開口は、その形状中心を通過する各方向の幅が前記タバコの横断面より大で、前記タバコを１本だけ通過させることができる断面を有することを特徴とするタバコ入れ。
【請求項４】
前記蓋付き開口全体が前記上面自体に形成されていることを特徴とする請求項１乃至請求項３のいずれかの１項に記載のタバコ入れ。
【請求項５】
前記蓋付き開口は、前記上面に閉ループ状ミシン目を形成してなることを特徴とする請求項４に記載のタバコ入れ。
【請求項６】
前記閉ループ状ミシン目は、接続部とスリット部とを繰り返して連続配列してなり、その接続部の所定の１つが特に長く形成されていて、他の接続部より引き裂かれ難いようにしたことを特徴とする請求項５に記載のタバコ入れ。
【請求項７】
前記閉ループ状ミシン目の所定の接続部の反対側にある所定範囲を引裂部とし、該引裂部内のミシン目のスリット配列はその間隔が短く形成されていて他の部分のミシン目より引き裂かれやすいことを特徴とする請求項６に記載のタバコ入れ。
【請求項８】
前記閉ループ状ミシン目の所定の接続部の反対側にある所定スリット部を引裂部とし、該所定スリット部が長く形成されていて他のスリット部より引き裂かれやすいことを特徴とする請求項６に記載のタバコ入れ。
【請求項９】
前記上面の前記閉ループ状ミシン目内にある部分の前記引裂部の近傍の面上に記号が注記されていることを特徴とする請求項７または請求項８に記載のタバコ入れ。
【請求項１０】
前記上面の前記閉ループ状ミシン目内にある部分の前記引裂部の近傍の面上に取っ手が形成されていることを特徴とする請求項７または請求項８に記載のタバコ入れ。
【考案の詳細な説明】
【技術分野】
【０００１】
本考案は、タバコ入れに関し、特に、タバコを摘んで取ろうとする時に毎回一本だけに限られるタバコ入れに関する。
【背景技術】
【０００２】
図１は一般に見られるタバコ入れ１０であり、この種のタバコ入れ１０は、上側が開口している本体１１と、該本体１１の上縁一部に連設していて回動により該本体１１の開口を開けることができるように該本体１１の開口を閉鎖している蓋体１２とからなっている。このタバコ入れ１０は、内部に複数の棒形のタバコ１００を収容している時に、図示のように、前記蓋体１２を開けると前記タバコ１００の一端、通常はフィルタ１０１が設けられた一端が露出し、その端を使用者が摘むことにより抽出することができる。
【考案の開示】
【考案が解決しようとする課題】
【０００３】
しかしながら、前記タバコ入れ１０内にある複数の棒形のタバコ１００から指でその一本を摘み取る時には、摘んだタバコ１００だけでなく他のタバコにも触れるため、指に付着している汚れが他のタバコに付着する。そして、そのままタバコ入れ１０を閉めておくと、黴菌や細菌が繁殖し、タバコの保存にも喫煙者の衛生及び健康にも良くない。また、タバコ入れ１０を軽く振ってタバコを一本だけ振り出してから取る対応策がよく見られるが、この場合、一本だけでなく数本出て、地面に落ちることがあり、かえって前記不都合の発生が多くなる一方である。
【０００４】
本考案は前記問題に鑑みてなされたもので、タバコを取り出す時に他のタバコに触れることなく、且つ、タバコを１回１本ずつ取り出すことができるタバコ入れを提供しようとする。
【課題を解決するための手段】
【０００５】
前記課題を解決するため、本考案は、上下両面を有し、且つ、棒形のタバコをいつもその一端が上面側にあり、他端が下面側にあるように収容することができる形状に形成されたタバコ入れにおいて、前記上下両面の少なくとも一面に蓋付き開口が形成されており、該蓋付き開口における開口は、その形状中心を通過する各方向の幅が前記タバコの横断面より大で前記タバコを１本だけ通過させることができる断面を有することを特徴とするタバコ入れを提供するものである。
【考案の効果】
【０００６】
前記構成によるタバコ入れは、蓋付き開口が形成されており、且つ、蓋付き開口における開口は、その形状中心を通過する各方向の幅が前記タバコの横断面より大で前記タバコを１本だけ通過させることができる断面を有するため、該タバコ入れを軽く振ってタバコを１回１本ずつ振り出すことができる。且つ、指が他のタバコに触れて汚れ物や細菌及び黴菌がフィルタ部分に付着する問題も解消することができる。
【考案を実施するための最良の形態】
【０００７】
以下、本考案の好ましい実施形態を詳しく説明する。なお、以下の説明においては、そのサイズに拘わらず、略同一の機能及び構成を有する構成要素については、同一符号を付し、重複説明は必要な場合にのみ行う。
【０００８】
図２から図５は、上下両面を有し、且つ、棒形のタバコ１００を、いつもその一端が上面側にあり、他端が下面側にあるように収容することができる形状に形成された本考案の第１の実施形態のタバコ入れ２である。このタバコ入れ２は、図２に示すように、上側が開口している本体２１と、上側から該本体２１の開口を開閉可能に閉鎖している蓋体２２とからなっている。蓋体２２は、前記本体２１の上縁一部に連設していて、回動により該本体２１の開口を開けたり閉めたりすることができるように構成されている。同図のように、この実施形態では、該蓋体２２（閉鎖状態下）の頂面が前記上面２０とされ、前記本体２１の底面が前記下面（図示せず）とされる。図３から図５に示すように、このタバコ入れ２には、棒形のタバコ１００をフィルタ１０１が付いた一端が前記上面側にあるように収容されている。前記上面２０に蓋３０を有する開口２３が形成されており、且つ、図３に示すように、この開口２３は、その形状中心を通過する各方向の幅がタバコ１００の横断面より大で、タバコ１００を１本だけ通過させることができる断面（開口）形状を有する。即ち、タバコ１００を取り出そうとする時には、まず、片手でタバコ入れ２を掴み、前記上面２０を少々下へ傾けてタバコ入れ２を振ることにより、一本のタバコ１００の前記フィルタ１０１が設けられた一端を前記開口２３から突出させる。そして、他の手で突出した端を摘んでタバコ１００を取り出す。その時、前記のように開口２３はその形状中心を通過する各方向の幅がタバコ１００の横断面より大で、タバコ１００を１本だけ通過させることができる断面を有するので、振り出されるタバコ１００は一回で一本だけである。また、前記蓋３０が設けられた開口２３は、パンチングにより、図２及び図３に示すような略円形の閉ループ状ミシン目３１を形成してなるものである。そして、図４に示すように、前記蓋３０付き開口２３は前記上面２０自体に形成されている。なお、前記閉ループ状ミシン目３１は、図３に示すように、接続部３１１とスリット部３１２とを繰り返して連続配列したもので、その接続部３１１の所定の１つ（３１１ａ）が特に長く形成され、他の接続部３１１より引き裂かれ難い構成としている。また、前記閉ループ状ミシン目３１の所定接続部３１１ａの反対側にある所定スリット部を引裂部３１３とし、該所定スリット部（引裂部３１３）が特に長く形成され、他のスリット部３１２より引き裂かれやすいように構成している。なお、図示していないが、引裂部は、前記構成に限定されず、前記閉ループ状ミシン目３１の所定接続部３１１ａの反対側にある所定範囲を引裂部３１３とし、該引裂部３１３はミシン目３１のスリットの間隔が短く形成され、所謂配列がびっしりと詰まったようにし、他の部分のミシン目３１より引き裂かれやすいように構成してもよい。図２及び図３に示すように、前記上面２０の前記閉ループ状ミシン目３１内にある部分の前記引裂部３１３の近傍の面上に記号３２が注記されている。この記号３２によって蓋３０付き開口２３の引裂部３１３を標示している。そのため、タバコ１００を取り出そうとする時には、前記のように前記上面２０を少々下へ傾けてタバコ入れ２を振る前に、先に前記記号３２が指す方向にある前記引裂部３１３を押して引き裂いてから、指で摘んで前記所定の接続部３１１ａを枢軸として反対の方向へ捲って、残っている（接続状態の）ミシン目３１を前記所定接続部３１１ａだけが残るように引き裂き、前記開口２３を開けることができる。その後、前記のように、タバコ１００を一回一本だけ振り出し、また、タバコ１００を取り出した後、前記所定の接続部３１１ａを枢軸として前記蓋３０を元の位置へ回動させることができる。
【０００９】
次に、図６から図９を参照しながら第２の実施形態を説明する。この第２の実施形態の構成は前記第１の実施形態と略同一であり、異なるところは、その閉ループ状ミシン目４１が略円形の代わりに方形に形成されている点である。この方形状の閉ループ状ミシン目４１は、第１実施形態の閉ループ状ミシン目３１と同様に、接続部４１１とスリット部４１２とを繰り返して連続配列してなるが、前記接続部４１１の所定の１つ（４１１ａ）が、図示のように、前記方形の一辺となり、他の接続部４１１より遥かに長く形成されている。そしてまた、前記引裂部４１３としての所定スリット部（４１２）が、図示のように、前記方形の一辺の対向する辺となり、他のスリット部４１２より遥かに長く形成されている。
【００１０】
なお、前記蓋付き開口２３は、図１０及び図１２に示すように、それらの蓋３０，４０付き開口２３がパンチングによって形成される時に、前記蓋３０，４０の表面の引裂部３１３，４１３に近い縁部に取っ手３１３ａ，４１３ａが突出するように形成してもよい。このようにすれば、図１１及び図１３に示すように、使用者が初めて蓋３０，４０を開封しようとする時には、押すことなく直接に前記取っ手３１３ａ，４１３ａを上へ引張ることができる。
【００１１】
また、前記実施形態は蓋付き開口が所定接続部によって前記蓋体と一体的に連続するように構成したが、それに限定されず、図１４〜図１９に示すように、所定接続部がなく、蓋３０，４０全体が引き裂かれて取り除かれる構成としてもよい。
【００１２】
前記構成による本考案のタバコ入れ２は、タバコ１００を取り出す時に他のタバコ１００に触れることなく、且つ、タバコ１００を１回１本ずつ振り出すことができるので、従来からの汚れ物や細菌及び黴菌などがタバコ１００に付着する問題が解消される。
【００１３】
なお、以上で説明した実施の形態は、あくまでも本考案の技術的内容を明らかにする意図のものにおいてなされたものであり、本考案はそうした具体例に限定して狭義に解釈されるものではなく、本考案の精神とクレームに述べられた範囲で、いろいろと変更して実施できるものである。
【図面の簡単な説明】
【００１４】
【図１】従来のタバコ入れの使用状態を示す斜視図
【図２】本考案の第１の実施形態のタバコ入れを示す斜視図
【図３】第１の実施形態の平面図
【図４】図３におけるＸ−Ｘ線断面図
【図５】第１の実施形態の使用状態を示す斜視図
【図６】本考案の第２の実施形態のタバコ入れを示す斜視図
【図７】第２の実施形態の平面図
【図８】図７におけるＹ−Ｙ線断面図
【図９】第２の実施形態の使用状態を示す斜視図
【図１０】第１の実施形態における蓋付き開口の変形例を示す平面図
【図１１】図１０の変形例の使用状態を示す斜視図
【図１２】第２の実施形態における蓋付き開口の変形例を示す平面図
【図１３】図１２の変形例の使用状態を示す斜視図
【図１４】第１の実施形態における蓋付き開口の他の変形例を示す平面図
【図１５】第１の実施形態における蓋付き開口のもう１つの他の変形例を示す平面図
【図１６】図１４及び１５の変形例の使用状態を示す斜視図
【図１７】第２の実施形態における蓋付き開口の他の変形例を示す平面図
【図１８】第２の実施形態における蓋付き開口のもう１つの他の変形例を示す平面図
【図１９】図１７及び１８の変形例の使用状態を示す斜視図
【符号の説明】
【００１５】
１０…タバコ入れ
１１…本体
１２…蓋体
２…タバコ入れ
２０…上面
２１…本体
２２…蓋体
２３…蓋付き開口
３０…蓋
３１…閉ループ状ミシン目
３１１…接続部
３１１ａ…所定接続部
３１２…スリット部
３１３…引裂部
３１３ａ…取っ手
３２…記号
４０…蓋
４１…閉ループ状ミシン目
４１１…接続部
４１１ａ…所定接続部
４１２…スリット部
４１３…引裂部
４１３ａ…取っ手
１００…タバコ
１０１…フィルタ
【図１】
0003101217.tif 000003
【図２】
0003101217.tif 000004
【図３】
0003101217.tif 000005
【図４】
0003101217.tif 000006
【図５】
0003101217.tif 000007
【図６】
0003101217.tif 000008
【図７】
0003101217.tif 000009
【図８】
0003101217.tif 000010
【図９】
0003101217.tif 000011
【図１０】
0003101217.tif 000012
【図１１】
0003101217.tif 000013
【図１２】
0003101217.tif 000014
【図１３】
0003101217.tif 000015
【図１４】
0003101217.tif 000016
【図１５】
0003101217.tif 000017
【図１６】
0003101217.tif 000018
【図１７】
0003101217.tif 000019
【図１８】
0003101217.tif 000020
【図１９】
0003101217.tif 000021